(57)【特許請求の範囲】
【請求項１】
樹脂フィルムを有して一端に開口部を開口した袋状に形成され、粘着テープに対する粘着力を消失させた非粘着領域を外表面に有し、前記非粘着領域を周囲に対して目視により識別可能な識別用印刷を施した包装袋であって、
前記包装袋に固着される固着部を一端に有するとともに他端が前記固着部と前記開口部との間の所定位置で折曲した前記包装袋の前記非粘着領域上に配される粘着テープとを備えたことを特徴とする包装袋。
【請求項２】
前記開口部に沿って前記樹脂フィルムをハーフカットして形成され、前記開口部を封止した際に開封される切断線を設けるとともに、前記切断線に沿って前記非粘着領域を設けたことを特徴とする請求項１に記載の包装袋。
【請求項３】
単位面積当たりの前記非粘着領域の面積が前記切断線に遠い位置に対して近い位置の方が小さいことを特徴とする請求項２に記載の包装袋。
【請求項４】
前記非粘着領域が前記樹脂フィルムに積層された離型剤層により形成されることを特徴とする請求項１〜請求項３のいずれかに記載の包装袋。
【請求項５】
前記離型剤層がアクリル系樹脂又はアクリル塩化ビニル系樹脂から成ることを特徴とする請求項４に記載の包装袋。
【請求項６】
樹脂フィルムにより一端に開口部を開口した袋状に形成される包装袋と前記包装袋に固着される固着部を一端に有する粘着テープとを備えた包装袋において、前記包装袋が前記粘着テープに対する粘着力を消失させた非粘着領域を外表面に有し、前記粘着テープの他端が前記固着部と前記開口部との間の所定位置で折曲した前記包装袋の前記非粘着領域上に配されることを特徴とする包装袋。
【請求項７】
前記粘着テープの一端を他端に対して拡幅したことを特徴とする請求項１または請求項６に記載の包装袋。
【発明の詳細な説明】
【技術分野】
【０００１】
本発明は開封後、再び封止可能な包装袋に関する。また、本発明は包装袋に粘着テープが固着された包装袋に関する。
【背景技術】
【０００２】
従来の再封可能な包装袋が特許文献１に開示される。この包装袋は最内層に熱接着性樹脂層が配された積層体を対向配置して周縁を熱接着部により熱接着して形成される。また、開封予定箇所にミシン目状のハーフカットラインが設けられ、ハーフカットラインの下方にはジップ部が設けられている。ジップ部は互いに嵌め込み可能な凹状テープと凸状テープを対向させて形成されている。これにより、包装袋の開封時にハーフカットラインに沿って包装袋を引き裂いて開口した後、凹状テープと凸状テープを咬合させて包装袋を再封することができる。
【先行技術文献】
【特許文献】
【０００３】
【特許文献１】特開２００３−７２７７５号公報
【発明の概要】
【発明が解決しようとする課題】
【０００４】
しかしながら、上記包装袋によると、ジップ部により構造が複雑化して製造コストが増加する問題があった。また、ジップ部の凹状テープと凸状テープとを引き離し包装袋を再開封するのに手間がかかる問題があった。
【０００５】
本発明は上記問題点に鑑み、製造コストを削減しながら、再開封が手早くできる包装袋及びそれを用いた包装袋を提供することを目的とする。
【課題を解決するための手段】
【０００６】
上記目的を達成するために本発明は、樹脂フィルムを有して一端に開口部を開口した袋状に形成される包装袋において、粘着テープに対する粘着力を消失させた非粘着領域を外表面に有し、前記非粘着領域を周囲に対して目視により識別可能な識別用印刷を施したことを特徴としている。
【０００７】
この構成によると、開口部から包装袋内に内容物が収容され、開口部が熱接着等の封止手段により封止される。内容物の一部を取り出すために開封された包装袋は開口した開封端を折曲して粘着テープによって封止される。このとき、粘着テープが識別用印刷によって識別される非粘着領域上に一端を配した状態で内容物の収納部と開封端を含んで折り返される折曲部とに跨って貼着される。粘着テープの一端を摘持して粘着テープが引き剥がされると、包装袋が再開封される。なお、封止手段を開口部側を折曲した包装袋に粘着テープを貼着して実現してもよい。
【０００８】
また本発明は、上記構成の包装袋において、前記開口部に沿って前記樹脂フィルムをハーフカットして前記開口部を封止した際に開封される切断線を設けるとともに、前記切断線に沿って前記非粘着領域を設けたことを特徴としている。この構成によると、開口部が熱接着等により封止され、開口部に沿って形成される切断線で切断して包装袋が開封される。内容物の一部を取り出された包装袋は切断線により形成された開封端を折曲して粘着テープによって封止される。このとき、粘着テープの一端が切断線に沿って設けられた非粘着領域上に配される。
【０００９】
また本発明は、上記構成の包装袋において、単位面積当たりの前記非粘着領域の面積が前記切断線に遠い位置に対して近い位置の方が小さいことを特徴としている。この構成によると、単位面積当たりの非粘着領域の面積が小さくなるに従って包装袋の外表面と粘着テープとの粘着性が強くなり、粘着テープを切断線に遠い位置から容易に剥離することができる。
【００１０】
また本発明は、上記構成の包装袋において、前記非粘着領域が離型剤を塗布して形成されることを特徴としている。
【００１１】
また本発明は、上記構成の包装袋において、前記離型剤がアクリル系樹脂又はアクリル塩化ビニル系樹脂から成ることを特徴としている。
【００１２】
また本発明の包装袋は、上記構成の包装袋と、前記包装袋に固着される固着部を一端に有するとともに他端が前記固着部と前記開口部との間の所定位置で折曲した前記包装袋の前記非粘着領域上に配される粘着テープとを備えたことを特徴としている。
【００１３】
また本発明は、樹脂フィルムにより一端に開口部を開口した袋状に形成される包装袋と前記包装袋に固着される固着部を一端に有する粘着テープとを備えた包装袋において、前記包装袋が前記粘着テープに対する粘着力を消失させた非粘着領域を外表面に有し、前記粘着テープの他端が前記固着部と前記開口部との間の所定位置で折曲した前記包装袋の前記非粘着領域上に配されることを特徴としている。
【００１４】
この構成によると、開口部から包装袋内に内容物が収容され、開口部が熱接着等の封止手段により封止される。内容物の一部を取り出すために開封された包装袋は開口した開封端を折曲して粘着テープによって封止される。このとき、粘着テープが一端を包装袋に固着した状態で他端をその固着部と開口部との間の所定位置で折曲した包装袋の非粘着領域上に配して貼着される。粘着テープの一端を摘持して粘着テープが引き剥がされると、包装袋が再開封される。なお、封止手段を開口部側を折曲した包装袋に粘着テープを貼着して実現してもよい。
【００１５】
また本発明は、上記構成の包装袋において、前記粘着テープの一端を他端に対して拡幅したことを特徴としている。この構成によると、粘着テープが拡幅する領域は包装袋の外表面と粘着テープとの粘着性が大きくなるため他端から剥離した粘着テープが拡幅部分で剥離し難くなる。
【発明の効果】
【００１６】
本発明によると、粘着テープに対する粘着力を消失させた非粘着領域に周囲に対して目視により識別可能な識別用印刷を施したので、識別用印刷を目印にして粘着テープの一端を非粘着領域に面して貼着することができる。これにより、非粘着領域に面した粘着テープの端部を摘持して包装袋から粘着テープを手早く引き剥がすことができる。したがって、包装袋の製造コストを削減し、包装袋を容易に再開封することができる。
【００１７】
また、本発明によると、一端が包装袋に固着した粘着テープの他端を固着部と開口部との間の所定位置で折曲した包装袋の非粘着領域上に配することにより、包装袋の折り曲げ状態が保持される。したがって、包装袋を容易に再封することができる。また、非粘着領域に面した粘着テープの端部を摘持して包装袋から粘着テープを手早く引き剥がすことができる。したがって、包装袋の製造コストを削減し、包装袋を容易に再開封することができる。
【図面の簡単な説明】
【００１８】
【図１】本発明の第１実施形態に係る包装袋の平面図
【図２】本発明の第１実施形態に係る包装袋を再封した状態を示す斜視図
【図３】本発明の第１実施形態に係る包装袋を構成する積層体の層構成を示す断面図
【図４】本発明の第２実施形態に係る包装袋の平面図
【図５】本発明の第２実施形態に係る包装袋を再封した状態における粘着テープを粘着した部分を拡大して示す平面図
【発明を実施するための形態】
【００１９】
［第１実施形態］
以下に本発明の第１実施形態を図面を参照して説明する。図１は包装袋２０の平面図であり、図２は開封された包装袋２０を再封した状態を示す斜視図である。
【００２０】
包装袋２０は後述する基材層６１と熱接着性樹脂層６３を含む積層体６０（図３参照）を対向配置して周辺を熱接着部２１により熱接着して形成され、上端に開口部２５を有する。開口部２５は包装袋２０内部に内容物を充填した後、熱接着等の封止手段により内容物を包装袋２０内部に密封封止する。包装袋２０の両側の上部には開封用の切り込みであるノッチ２９と両側のノッチ２９を結ぶ切断線２２が設けられている。切断線２２は基材層６１をハーフカットして形成される。これにより、切断線２２に沿って包装袋２０を開封して開封端２２ａが開口する。
【００２１】
また、切断線２２に沿って第１領域２４ｃと第２領域２４ｄが隣接して設けられている。第１領域２４ｃ及び第２領域２４ｄは非粘着領域２４ｂにより形成され、非粘着領域２４ｂは粘着テープ２３に対する粘着力を消失している。また、第２領域２４ｄは単位面積当たりの非粘着領域２４ｂの面積が第１領域２４ｃより小さい。このため、第１領域２４ｃは粘着テープ２３に対する粘着力が第２領域２４ｄと比較して弱い。したがって、粘着テープ２３を切断線２２に遠い位置から容易に剥離することができる。なお、非粘着領域２４ｂは周囲に対して目視により識別可能な識別用印刷が施されている。識別用印刷は非粘着領域２４を周囲と異なる色で着色してもよいし、非粘着領域２４の周囲を囲んで目視により識別可能としてもよい。
【００２２】
一度開封された包装袋２０は開封端２２ａから内容物を取り出した後、一点鎖線Ｄに示す所定位置で開封端２２ａを折曲して粘着テープ２３によって封止される。このとき、内容物を収納した収納部２０ｂに対して開封端２２ａを含む折曲部２０ａが折り返され、粘着テープ２３が収納部２０ｂと折曲部２０ａとに跨って貼着される。これにより、包装袋２０の折り曲げ状態が保持され、収納部２０ｂの内部に気密性が得られる。また、粘着テープ２３の一端を摘持して粘着テープ２３が引き剥がされると、包装袋２０が再開封される。
【００２３】
包装袋２０の折り曲げ状態において非粘着領域２４ｂは折曲部２０ａに配され、粘着テープ２３の端部に近い位置に第１領域２４ｃが面する。これにより、非粘着領域２４ｂに面した粘着テープ２３の端部を摘んで折曲部２０ａの表面から粘着テープ２３を手早く引き剥がすことができる。
【００２４】
図３は包装袋２０を構成する積層体６０の層構成を示す断面図である。包装袋２０を構成する積層体６０は、最外層である基材層６１と最内層である熱接着性樹脂層６３との間に基材層６１の表面側から識別される印刷層６４が積層される。また、基材層６１の表層において離型剤の塗布により離型剤層６１ａが積層される。離型剤層６１ａにより非粘着領域２４ｂが形成される。これにより、離型剤層６１ａの単位面積当たりの塗布面積の大小により、第１領域２４ｃと第２領域２４ｄが区別して形成される。
【００２５】
基材層６１は包装袋２０が物理的及び化学的に過酷な条件におかれる場合、包装袋２０に高い密封性、耐突き刺し（耐ピンホール）性、耐熱性、耐光性、品質保全性、作業性、衛生性等を付与するものである。また、基材層６１は離型剤層６１ａが形成されていない領域において粘着テープ２３と容易に粘着する。なお、基材層６１に粘着力が予め消失された樹脂フィルムを用いる場合、非粘着領域２４ｂを除く領域に粘着テープ２３に対する粘着性を有するコート剤を塗布して第１領域２４ｃ及び第２領域２４ｄを形成してもよい。
【００２６】
基材層６１としては、例えば高密度ポリエチレン、ポリプロピレン、エチレン−プロピレン共重合体、ポリ（メタ）アクリル系樹脂、ポリエステル系樹脂、ポリアミド系樹脂等の公知の樹脂を任意に選択して使用することができる。
【００２７】
また、基材層６１にポリエチレンテレフタレート、ポリエチレンナフタレートの耐熱性樹脂を使用することもできる。
【００２８】
熱接着性樹脂層６３は熱によって溶融して対向する積層体６０を相互に融着し得るものであればよく、例えば、低密度ポリエチレン、中密度ポリエチレン、高密度ポリエチレン、直鎖状（線状）低密度ポリエチレン、メタロセン触媒（シングルサイト触媒）を使用して重合したエチレン・α−オレフィン共重合体、ポリプロピレン、エチレン・酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸等の不飽和カルボン酸で変性した酸変性ポリオレフィン系樹脂等から選ばれた１種ないし２種以上を使用することができる。好ましいものとしては、直鎖状低密度ポリエチレンを挙げることができる。
【００２９】
離型剤層６１ａはアクリル系樹脂又はアクリル塩化ビニル系樹脂で構成され、粘着テープ２３と粘着しない。また、離型剤を基材層６１の表層に印刷して第１領域２４ｃ及び第２領域２４ｄを容易に形成することができる。第２領域２４ｄは基材層６１の表面に離型剤を部分的に印刷して形成される。離型剤を印刷する方法は特に限定されることはなく、例えば、オフセット印刷方式、グラビア印刷方式、フレキソ印刷方式、シルクスクリーン印刷方式、ロールコーティング方式、リバースコーティング方式などを適宜使用することができる。
【００３０】
なお、離型剤層６１ａと基材層６１との層間接着強度を離型剤層６１ａと粘着テープ２３との接着強度より弱く形成してもよい。このとき、非粘着領域２４ｂに一度貼着した粘着テープ２３を引き剥がすと、離型剤層６１ａが基材層６１から剥離して粘着テープ２３の粘着面に接着する。これにより、粘着テープ２３の粘着面の一部に非粘着領域が形成される。この粘着テープ２３は非粘着領域に面した粘着テープ２３の端部を摘んで手早く引き剥がすことができる。離型剤層６１ａと基材層６１の接着強度を弱めるには未コロナ処理面の基材層６１の表層に離型剤を印刷することにより、容易に形成することができる。
【００３１】
印刷層６４はインキ材を基材層６１の裏面に印刷塗布して形成される。これにより、包装袋２０の外観側から印刷層６４が視認される。印刷層６４に用いられるインキ材はバインダー、着色剤、各種添加剤により構成することができる。着色剤として、有彩色着色顔料または無機系の着色顔料を使用することができる。
【００３２】
本実施形態によると、粘着テープ２３に対する粘着力を消失させた非粘着領域２４ｂに周囲に対して目視により識別可能な識別用印刷を施したので、識別用印刷を目印にして粘着テープ２３の一端を非粘着領域２４ｂに面して貼着することができる。これにより、非粘着領域２４ｂに面した粘着テープ２３の端部を摘持して包装袋２０から粘着テープ２３を手早く引き剥がすことができる。したがって、包装袋２０の製造コストを削減し、包装袋２０を容易に再開封することができる。
【００３３】
また、開口部２５に沿って基材層６１の樹脂フィルムをハーフカットして切断線２２を設けるとともに、切断線２２に沿って非粘着領域２４ｂを設ける。これにより、開口部２５が熱接着等により封止され、開口部２５に沿って形成される切断線２２で切断して包装袋２０が開封される。内容物の一部を取り出された包装袋２０は切断線２２により形成された開封端２２ａを折曲して粘着テープ２３によって封止される。このとき、粘着テープ２３の一端を切断線２２ａに沿うように非粘着領域２４ｂ上に配することができる。
【００３４】
また、単位面積当たりの非粘着領域２４ｂの面積が切断線２２に遠い位置に対して近い位置の方が小さい。これにより、単位面積当たりの非粘着領域２４ｂの面積が小さくなるに従って包装袋２０の外表面と粘着テープ２３との粘着性が強くなり、粘着テープ２３を切断線２２に遠い位置から容易に摘持できるとともに剥離し易くできる。
【００３５】
また、非粘着領域２４ｂが離型剤を塗布して形成されることにより、非粘着領域２４ｂを容易に形成することができる。また、離型剤をアクリル系樹脂又はアクリル塩化ビニル系樹脂により形成することにより、非粘着領域２４ｂは離型性に優れる。
【００３６】
なお、本実施形態の非粘着領域２４ｂを包装袋２０の他の位置に設けてもよい。また、収納部２０ｂに設けてもよく、非粘着領域２４ｂを包装袋２０に複数設けてもよい。これにより、ユーザーが任意の場所に開口した包装袋２０を任意の方向に折り曲げて識別用印刷を目印にして粘着テープ２３の一端を非粘着領域２４ｂに面して貼着することができる。また、開封端２２ａの上端から所定幅分を二重、三重に折り畳むことにより、収納部２０ｂの内部の気密性をより高めることができる。
【００３７】
[第２実施形態]
図４は第２実施形態に係る包装袋３０の平面図である。説明の便宜上、前述の図１〜図３に示す第１実施形態と同様の説明には同一の符号を付している。本実施形態の包装袋３０は開封前の包装袋２０に予め粘着シート２３が取り付けられている。
【００３８】
包装袋３０は包装袋２０と粘着テープ２３とを有し、包装袋２０の上端に開口部２５を有する。開口部２５は包装袋２０内部に内容物を充填した後、熱接着等の封止手段により内容物を包装袋２０内部に密封封止する。包装袋２０の一方の面には第１領域２４ｃ及び第２領域２４ｄが設けられ、他方の面には粘着テープ２３が設けられる。粘着テープ２３の一端は固着部２３ａで包装袋２０に固着され、他端は離型紙（不図示）が貼られている。また、粘着テープ２３は帯状で一端が他端に対して拡幅して形成されている。
【００３９】
包装袋２０の両側の上部には開封用の切り込みであるノッチ２９と両側のノッチ２９を結ぶ切断線２２が設けられている。切断線２２は基材層６１をハーフカットして形成される。これにより、切断線２２に沿って包装袋２０を開封して開封端２２ａが開口する。
【００４０】
一度開封された包装袋２０は開封端２２ａから内容物を取り出した後、固着部２３ａと切断線２２との間の一点鎖線Ｄに示す所定位置に沿って折曲した包装袋２０を離型紙を剥がした粘着テープ２３で貼着する。このとき、粘着テープ２３の一端は非粘着領域２４ｂ上に配される。
【００４１】
図５は第２実施形態に係る包装体３０を再封した状態における粘着テープ２３を貼着した部分を拡大して示す平面図であり、粘着テープ２３は樹脂フィルムの一面に粘着剤が塗布されて粘着性を有する。また、粘着テープ２３は拡幅する領域で包装袋２０と粘着テープ２３との粘着性が大きくなる。このため、粘着テープ２３を折曲部２０ａから一定の力で引き剥がすと、収納部２０ｂの粘着領域が拡幅する領域において引き剥がす動きが止まる。これにより、再開封時に粘着テープ２３を収納部２０ｂに貼りつけた状態で留めることができ、次の再封時に粘着テープ２３の端部を非粘着領域２４ｂ上に手早く貼着することができる。なお、粘着テープ２３は固着部２３ａに強力な粘着剤を介して包装袋２０に強固に固着してもよい。
【００４２】
本実施形態によると、一端が包装袋２０に固着した粘着テープ２３の他端を固着部２３ａと開口部２５との間の所定位置で折曲した包装袋２０の非粘着領域２４ｂ上に配すことにより、包装袋２０の折り曲げ状態が保持される。したがって、包装袋２０を容易に再封することができる。また、非粘着領域２４ｂに面した粘着テープ２３の端部を摘持して包装袋２０から粘着テープ２３を手早く引き剥がすことができる。したがって、包装袋２０の製造コストを削減し、包装袋２０を容易に再開封することができる。
【産業上の利用可能性】
【００４３】
本発明は菓子、医薬品を包装する包装袋に利用可能である。
【符号の説明】
【００４４】
２０              包装袋
２０ａ            折曲部
２１              熱接着部
２２ａ            開封端
２２ｂ            折り線
２４ｂ            非粘着領域
２４ｃ            第１領域
２４ｄ            第２領域
２５              開口部
３０              包装袋
６０              積層体
６１              基材層
６１ａ            離型剤層
６３              熱接着性樹脂層
６４              印刷層
【図１】
0005891817.tif 000002
【図２】
0005891817.tif 000003
【図３】
0005891817.tif 000004
【図４】
0005891817.tif 000005
【図５】
0005891817.tif 000006